(57)【要約】【課題】電力系統に逆潮流する電力がどの発電装置から供給された電力であるのかを正確に識別できる分散型電源システムを提供する。【解決手段】分散型電源システムであって、第２発電装置４は、第２連系用配線１６を介した電力系統１との連系が断絶している場合、電力を第２自立用配線１７に出力する形態で出力電力を調節する第２自立運転モードで動作し、パワーコンディショナ７は、電力系統１から電力線２への電力供給が正常に行われており且つ第２発電装置４から第２自立用配線１７への電力供給が行われている場合、電力を第１連系用配線１４には出力せず且つ第１自立用配線１５に出力する形態で出力電力を調節する第１特別運転モードで動作する。【選択図】図３
2020137210.tif 000002
【特許請求の範囲】
【請求項１】
電力系統に連系される電力線と、第１発電装置と、第２発電装置とを備える分散型電源システムであって、
前記電力線の上流側に前記電力系統への接続箇所が設けられ、前記電力系統への接続箇所から下流側に向かって、前記電力線上に第１接続箇所及び第２接続箇所がその並び順で設けられ、
前記第１発電装置が接続されるパワーコンディショナを備え、
前記パワーコンディショナは、前記電力線と電気的に接続された状態にある第１連系用配線に電力を供給でき、前記電力線とは電気的に接続されない状態にある第１自立用配線に電力を供給でき、
第１電力消費装置は、前記電力線から電力の供給を受けることができ、
第２電力消費装置は、前記電力線から電力の供給を受けることができる第１接続形態、及び、前記パワーコンディショナから前記第１自立用配線を介して電力の供給を受けることができる第２接続形態の何れかの接続形態で電力の供給を受けることができ、
前記第２発電装置は、第２連系用配線を介して前記電力線の前記第２接続箇所に電力を供給でき、第２自立用配線を介して前記パワーコンディショナに電力を供給でき、
前記第２発電装置は、
前記第２連系用配線を介した前記電力系統との連系が断絶していない場合、電力を前記第２連系用配線に出力する形態で出力電力を調節する第２連系運転モードで動作し、
前記第２連系用配線を介した前記電力系統との連系が断絶している場合、電力を前記第２自立用配線に出力する形態で出力電力を調節する第２自立運転モードで動作し、
前記パワーコンディショナは、
前記電力系統から前記電力線への電力供給が正常に行われていない場合、電力を前記第１連系用配線には出力せず且つ前記第１自立用配線に出力する形態で出力電力を調節する第１自立運転モードで動作し、
前記電力系統から前記電力線への電力供給が正常に行われており且つ前記第２発電装置から前記第２自立用配線への電力供給が行われていない場合、電力を前記第１連系用配線に出力し且つ前記第１自立用配線には出力しない形態で出力電力を調節する第１連系運転モードで動作し、
前記電力系統から前記電力線への電力供給が正常に行われており且つ前記第２発電装置から前記第２自立用配線への電力供給が行われている場合、電力を前記第１連系用配線には出力せず且つ前記第１自立用配線に出力する形態で出力電力を調節する第１特別運転モードで動作する分散型電源システム。
【請求項２】
電力系統に連系される電力線と、第１発電装置と、第２発電装置とを備える分散型電源システムであって、
前記電力線の上流側に前記電力系統への接続箇所が設けられ、前記電力系統への接続箇所から下流側に向かって、前記電力線上に第１接続箇所及び第２接続箇所がその並び順で設けられ、
前記第１発電装置が接続されるパワーコンディショナを備え、
前記パワーコンディショナは、前記電力線と電気的に接続された状態にある第１連系用配線に電力を供給でき、前記電力線とは電気的に接続されない状態にある第１自立用配線に電力を供給でき、
第１電力消費装置は、前記電力線から電力の供給を受けることができ、
第２電力消費装置は、前記電力線から電力の供給を受けることができる第１接続形態、及び、前記パワーコンディショナから前記第１自立用配線を介して電力の供給を受けることができる第２接続形態の何れかの接続形態で電力の供給を受けることができ、
前記第２発電装置は、第２連系用配線を介して前記電力線の前記第２接続箇所に電力を供給でき、第２自立用配線を介して前記パワーコンディショナに電力を供給でき、
前記第２発電装置は、
前記第２連系用配線を介した前記電力系統との連系が断絶していない場合、電力を前記第２連系用配線に出力する形態で出力電力を調節する第２連系運転モードで動作し、
前記第２連系用配線を介した前記電力系統との連系が断絶している場合、電力を前記第２自立用配線に出力する形態で出力電力を調節する第２自立運転モードで動作し、
前記パワーコンディショナは、
前記電力系統から前記電力線への電力供給が正常に行われていない場合、電力を前記第１連系用配線には出力せず且つ前記第１自立用配線に出力する形態で出力電力を調節する第１自立運転モードで動作し、
前記電力系統から前記電力線への電力供給が正常に行われており且つ前記第２発電装置から前記第２自立用配線への電力供給が行われていない場合、電力を前記第１連系用配線に出力し且つ前記第１自立用配線には出力しない形態で出力電力を調節する第１連系運転モードで動作し、
前記電力系統から前記電力線への電力供給が正常に行われており且つ前記第２発電装置から前記第２自立用配線への電力供給が行われている場合、前記電力系統への電力の逆潮流を禁止するという条件下で、電力を前記第１連系用配線に出力し且つ前記第１自立用配線には出力しない形態で出力電力を調節する第１特別運転モードで動作する分散型電源システム。
【請求項３】
電力系統に連系される電力線と、第１発電装置と、第２発電装置とを備える分散型電源システムであって、
前記電力線の上流側に前記電力系統への接続箇所が設けられ、前記電力系統への接続箇所から下流側に向かって、前記電力線上に第１接続箇所及び第２接続箇所がその並び順で設けられ、
前記第１発電装置が接続されるパワーコンディショナを備え、
前記パワーコンディショナは、前記電力線と電気的に接続された状態にある第１連系用配線に電力を供給でき、前記電力線とは電気的に接続されない状態にある第１自立用配線に電力を供給でき、
第１電力消費装置は、前記電力線から電力の供給を受けることができ、
第２電力消費装置は、前記電力線から電力の供給を受けることができる第１接続形態、及び、前記パワーコンディショナから前記第１自立用配線を介して電力の供給を受けることができる第２接続形態の何れかの接続形態で電力の供給を受けることができ、
前記第２発電装置は、第２連系用配線を介して前記電力線の前記第２接続箇所に電力を供給でき、第２自立用配線を介して前記パワーコンディショナに電力を供給でき、
前記第２自立用配線の途中には、前記第２発電装置と前記パワーコンディショナとの間の接続を遮断可能な遮断器が設けられ、
前記第２発電装置は、
前記第２連系用配線を介した前記電力系統との連系が断絶していない場合、電力を前記第２連系用配線に出力する形態で出力電力を調節する第２連系運転モードで動作し、
前記第２連系用配線を介した前記電力系統との連系が断絶している場合、電力を前記第２自立用配線に出力する形態で出力電力を調節する第２自立運転モードで動作し、
前記パワーコンディショナは、
前記電力系統から前記電力線への電力供給が正常に行われていない場合、前記遮断器を遮断作動させない状態で、電力を前記第１連系用配線には出力せず且つ前記第１自立用配線に出力する形態で出力電力を調節する第１自立運転モードで動作し、
前記電力系統から前記電力線への電力供給が正常に行われており且つ前記第２発電装置から前記第２自立用配線への電力供給が行われていない場合、電力を前記第１連系用配線に出力し且つ前記第１自立用配線には出力しない形態で出力電力を調節する第１連系運転モードで動作し、
前記電力系統から前記電力線への電力供給が正常に行われており且つ前記第２発電装置から前記第２自立用配線への電力供給が行われている場合、前記遮断器を遮断作動させた状態で、電力を前記第１連系用配線に出力し且つ前記第１自立用配線には出力しない形態で出力電力を調節する第１特別運転モードで動作する分散型電源システム。
【請求項４】
前記パワーコンディショナに接続される充放電装置を備える請求項１〜３の何れか一項に記載の分散型電源システム。
【請求項５】
前記第１発電装置は太陽光発電装置であり、前記第２発電装置は燃料電池装置である請求項１〜４の何れか一項に記載の分散型電源システム。
【発明の詳細な説明】
【技術分野】
【０００１】
本発明は、電力系統に連系される電力線と、第１発電装置と、第２発電装置とを備える分散型電源システムに関する。
【背景技術】
【０００２】
特許文献１には、電力系統に連系される電力線と、太陽光発電装置と、充放電装置と、太陽光発電装置とは別の発電装置（燃料電池発電部）とを備える分散型電源システムが記載されている。電力線において電力系統へ向かう側を上流側とし、電力系統から離れる側を下流側としたとき、この分散型電源システムでは、電力線の最上流側に電力系統が接続され、電力線の最下流側に電力消費装置が接続されている。そして、電力線の上流側から下流側に向かって、太陽光発電装置と充放電装置と発電装置とがその並び順で接続されている。更に、発電装置から上流側（即ち、電力系統側）に電力の潮流を向かわせないという条件下（所謂、逆潮流を禁止するという条件下）で発電装置の動作が制御されている。つまり、発電装置は、自身よりも下流側に接続されている電力消費装置の消費電力を賄うように運転される。また、太陽光発電装置は発電装置よりも上流側に接続されており、その発電電力を電力系統へと逆潮流させることができる。このように、特許文献１に記載のシステムでは、太陽光発電装置の発電電力を電力系統へと逆潮流させることができ、且つ、発電装置を電力消費装置の消費電力を賄うために有効に運用できる構成になっている。
【０００３】
また、特許文献２には、１台のパワーコンディショナに太陽光発電装置及び充放電装置の両方が接続されるシステムが記載されている。このような構成により、太陽光発電装置及び充放電装置がそれぞれ別個のパワーコンディショナに接続される場合に比べて、パワーコンディショナの台数を削減できる。
【先行技術文献】
【特許文献】
【０００４】
【特許文献１】特開２０１１−１８８６０７号公報
【特許文献２】特開２０１４−２３３８２号公報
【発明の概要】
【発明が解決しようとする課題】
【０００５】
特許文献１に記載したような分散型電源システムでも、燃料電池発電部の動作制御を変更すれば、太陽光発電装置の発電電力を電力系統へ逆潮流させるだけでなく、燃料電池発電部の発電電力を電力系統へ逆潮流させることは可能である。
【０００６】
例えば、図１に示す分散型電源システムは、電力系統１に連系される電力線２と、太陽光発電装置３と、燃料電池装置４と、充放電装置５とを備える。電力線２の上流側に電力系統１への接続箇所が設けられ、電力系統１への接続箇所から下流側に向かって、電力線２上に第１接続箇所１０及び第２接続箇所１１がその並び順で設けられる。加えて、分散型電源システムは、太陽光発電装置３及び充放電装置５が接続されるパワーコンディショナ７を備える。第１接続箇所１０にはパワーコンディショナ７が接続され、第２接続箇所１１には燃料電池装置４が接続される。
【０００７】
パワーコンディショナ７は、電力線２と電気的に接続された状態にある第１連系用配線１４に電力を供給でき、電力線２とは電気的に接続されない状態にある第１自立用配線１５に電力を供給できる。第１電力消費装置６は、電力線２の第２接続箇所１１から電力の供給を受けることができる。第２電力消費装置９は、接続線２５を介して切替器２４に接続される。切替器２４は、第１自立用配線１５を介してパワーコンディショナ７に接続され、接続線２３を介して電力線２の第２接続箇所１１に接続される。この切替器２４は、パワーコンディショナ７から第１自立用配線１５に電力が供給されている場合には接点ａと接点ｃとが接続される状態に切り替わり、パワーコンディショナ７から第１自立用配線１５に電力が供給されていない場合には（即ち、パワーコンディショナ７から第１連系用配線１４に電力が供給されている場合には）接点ｂと接点ｃとが接続される状態に切り替わる。つまり、第２電力消費装置９は、電力線２から電力の供給を受けることができる第１接続形態（切替器２４で接点ｂと接点ｃとが接続される形態）、及び、パワーコンディショナ７から第１自立用配線１５を介して電力の供給を受けることができる第２接続形態（切替器２４で接点ａと接点ｃとが接続される形態）の何れかの接続形態で電力の供給を受けることができる。
【０００８】
図１は、電力系統１から電力線２への電力供給が正常に行われている場合を示す。この場合、パワーコンディショナ７は、第１連系用配線１４を介して電力線２の第１接続箇所１０に電力を供給し、燃料電池装置４は、第２連系用配線１６を介して電力線２の第２接続箇所１１に電力を供給する。また、第１電力消費装置６には、電力線２の第２接続箇所１１から電力が供給される。第２電力消費装置９には、電力線２の第２接続箇所１１から、接続線２３と切替器２４と接続線２５とを介して電力が供給される。電力線２の第２接続箇所１１と第１接続箇所１０との間に設けた電力計２２で測定した逆潮流電力Ｐ２は、燃料電池装置４から電力系統１へと逆潮流する電力と見なすことができる。また、電力線２の第１接続箇所１０よりも電力系統１側に設けた電力計８で測定した電力Ｐ１は、パワーコンディショナ７から電力系統１へと逆潮流する電力Ｐ７と、燃料電池装置４から電力系統１へと逆潮流する電力Ｐ２との和であると見なすことができる。この場合、パワーコンディショナ７から電力系統１へと逆潮流する電力Ｐ７に太陽光発電装置３の発電電力は含まれ得るが、燃料電池装置４の発電電力が含まれることはない。
【０００９】
図２は、電力系統１から電力線２への電力供給が正常に行われていない場合を示す。この場合、パワーコンディショナ７は第１自立用配線１５に電力を供給し、その電力が切替器２４と接続線２５とを介して第２電力消費装置９に供給される。また、燃料電池装置４は、第２自立用配線１７を介してパワーコンディショナ７に電力を供給する。つまり、第２電力消費装置９には、パワーコンディショナ７を介して、太陽光発電装置３の発電電力及び燃料電池装置４の発電電力を供給できる。
【００１０】
尚、燃料電池装置４が、第２連系用配線１６の途中に設けられた分岐ブレーカや漏電遮断器などの遮断器１８を介して電力線２に接続されている場合、分岐ブレーカが誤って操作されることや、漏電遮断器が動作することなどにより、電力系統１から電力線２への電力供給が正常に行われていても、遮断器１８が解列する可能性がある。その場合、図６の比較例に示すように、燃料電池装置４は、電力系統１から電力線２への電力供給が正常に行われていない（即ち、第２連系用配線１６を介した電力系統１との連系が断絶している）と判断して、第２自立用配線１７を介してパワーコンディショナ７に電力を供給する。それに対して、パワーコンディショナ７は、そのような遮断器１８の動作に影響されず、電力系統１から電力線２への電力供給が正常に行われていると判断して、第１連系用配線１４を介して電力線２の第１接続箇所１０に電力を供給し続ける。
【００１１】
つまり、図６に示した場合、パワーコンディショナ７には、太陽光発電装置３の発電電力及び燃料電池装置４の発電電力の両方が供給されるため、パワーコンディショナ７から電力線２に供給される電力が電力系統１に逆潮流すると、その逆潮流電力には太陽光発電装置３の発電電力及び燃料電池装置４の発電電力の両方が含まれ得る。この場合、電力計２２で測定される逆潮流電力はゼロであるため、燃料電池装置４からの逆潮流電力はゼロと認識されるが、実際には、電力計８で測定される逆潮流電力に燃料電池装置４の発電電力も含まれる可能性がある。
【００１２】
このように、従来の分散型電源システムでは、電力系統に逆潮流する電力がどの発電装置から供給された電力であるのかを正確に識別できない場合が発生し得るという問題がある。
【００１３】
本発明は、上記の課題に鑑みてなされたものであり、その目的は、電力系統に逆潮流する電力がどの発電装置から供給された電力であるのかを正確に識別できる分散型電源システムを提供する点にある。
【課題を解決するための手段】
【００１４】
上記目的を達成するための本発明に係る分散型電源システムの特徴構成は、電力系統に連系される電力線と、第１発電装置と、第２発電装置とを備える分散型電源システムであって、
前記電力線の上流側に前記電力系統への接続箇所が設けられ、前記電力系統への接続箇所から下流側に向かって、前記電力線上に第１接続箇所及び第２接続箇所がその並び順で設けられ、
前記第１発電装置が接続されるパワーコンディショナを備え、
前記パワーコンディショナは、前記電力線と電気的に接続された状態にある第１連系用配線に電力を供給でき、前記電力線とは電気的に接続されない状態にある第１自立用配線に電力を供給でき、
第１電力消費装置は、前記電力線から電力の供給を受けることができ、
第２電力消費装置は、前記電力線から電力の供給を受けることができる第１接続形態、及び、前記パワーコンディショナから前記第１自立用配線を介して電力の供給を受けることができる第２接続形態の何れかの接続形態で電力の供給を受けることができ、
前記第２発電装置は、第２連系用配線を介して前記電力線の前記第２接続箇所に電力を供給でき、第２自立用配線を介して前記パワーコンディショナに電力を供給でき、
前記第２発電装置は、
前記第２連系用配線を介した前記電力系統との連系が断絶していない場合、電力を前記第２連系用配線に出力する形態で出力電力を調節する第２連系運転モードで動作し、
前記第２連系用配線を介した前記電力系統との連系が断絶している場合、電力を前記第２自立用配線に出力する形態で出力電力を調節する第２自立運転モードで動作し、
前記パワーコンディショナは、
前記電力系統から前記電力線への電力供給が正常に行われていない場合、電力を前記第１連系用配線には出力せず且つ前記第１自立用配線に出力する形態で出力電力を調節する第１自立運転モードで動作し、
前記電力系統から前記電力線への電力供給が正常に行われており且つ前記第２発電装置から前記第２自立用配線への電力供給が行われていない場合、電力を前記第１連系用配線に出力し且つ前記第１自立用配線には出力しない形態で出力電力を調節する第１連系運転モードで動作し、
前記電力系統から前記電力線への電力供給が正常に行われており且つ前記第２発電装置から前記第２自立用配線への電力供給が行われている場合、電力を前記第１連系用配線には出力せず且つ前記第１自立用配線に出力する形態で出力電力を調節する第１特別運転モードで動作する点にある。
【００１５】
上記特徴構成によれば、第２発電装置は、第２連系用配線を介した電力系統との連系が断絶していない場合、即ち、電力系統から電力線への電力供給が正常に行われている場合、電力を第２連系用配線に出力する形態で出力電力を調節する第２連系運転モードで動作する。その結果、例えば電力線の第２接続箇所と第１接続箇所との間に設けた電力計で測定した逆潮流電力は、第２発電装置から電力系統へと逆潮流する電力と見なすことができる。また、パワーコンディショナは、電力系統から電力線への電力供給が正常に行われており且つ第２発電装置から第２自立用配線への電力供給が行われていない場合、電力を第１連系用配線に出力し且つ第１自立用配線には出力しない形態で出力電力を調節する第１連系運転モードで動作する。つまり、パワーコンディショナが電力線に供給する電力には第２発電装置の発電電力は含まれない。その結果、電力線の第１接続箇所よりも電力系統側に設けた電力計で測定した電力は、パワーコンディショナを経由して電力系統へと逆潮流する電力と、第２発電装置から電力系統へと逆潮流する電力との和であると見なすことができる。そのため、例えば、電力線の第１接続箇所よりも電力系統側に設けた電力計と、電力線の第２接続箇所と第１接続箇所との間に設けた電力計とを併用することで、例えば第１発電装置からパワーコンディショナを経由して電力系統へと逆潮流する電力を特定できる。
【００１６】
尚、電力系統から電力線への電力供給が正常に行われていたとしても、第２発電装置から第２自立用配線への電力供給が行われている場合には、パワーコンディショナには、第１発電装置の発電電力及び第２発電装置の発電電力の両方が供給されるため、パワーコンディショナから電力線に供給される電力が電力系統に逆潮流すると、その逆潮流電力には第１発電装置の発電電力及び第２発電装置の発電電力の両方が含まれる可能性がある。この場合、電力線の第２接続箇所と第１接続箇所との間に設けた電力計で測定される逆潮流電力はゼロであるため、第２発電装置からの逆潮流電力はゼロと認識されるが、実際には、電力線の第１接続箇所よりも電力系統側に設けた電力計で測定される逆潮流電力に燃料電池装置の発電電力も含まれるという可能性がある。
ところが本特徴構成では、パワーコンディショナは、電力系統から電力線への電力供給が正常に行われており且つ第２発電装置から第２自立用配線への電力供給が行われている場合、電力を第１連系用配線には出力せず且つ第１自立用配線に出力する形態で出力電力を調節する第１特別運転モードで動作する。つまり、パワーコンディショナから電力系統への電力の逆潮流は行われない、即ち、第１発電装置及び第２発電装置の両方から電力系統への逆潮流が行われないので、電力系統に逆潮流する電力の内訳が誤認されることが防止される。
従って、電力系統に逆潮流する電力がどの発電装置から供給された電力であるのかを正確に識別できる分散型電源システムを提供できる。
【００１７】
本発明に係る分散型電源システムの別の特徴構成は、電力系統に連系される電力線と、第１発電装置と、第２発電装置とを備える分散型電源システムであって、
前記電力線の上流側に前記電力系統への接続箇所が設けられ、前記電力系統への接続箇所から下流側に向かって、前記電力線上に第１接続箇所及び第２接続箇所がその並び順で設けられ、
前記第１発電装置が接続されるパワーコンディショナを備え、
前記パワーコンディショナは、前記電力線と電気的に接続された状態にある第１連系用配線に電力を供給でき、前記電力線とは電気的に接続されない状態にある第１自立用配線に電力を供給でき、
第１電力消費装置は、前記電力線から電力の供給を受けることができ、
第２電力消費装置は、前記電力線から電力の供給を受けることができる第１接続形態、及び、前記パワーコンディショナから前記第１自立用配線を介して電力の供給を受けることができる第２接続形態の何れかの接続形態で電力の供給を受けることができ、
前記第２発電装置は、第２連系用配線を介して前記電力線の前記第２接続箇所に電力を供給でき、第２自立用配線を介して前記パワーコンディショナに電力を供給でき、
前記第２発電装置は、
前記第２連系用配線を介した前記電力系統との連系が断絶していない場合、電力を前記第２連系用配線に出力する形態で出力電力を調節する第２連系運転モードで動作し、
前記第２連系用配線を介した前記電力系統との連系が断絶している場合、電力を前記第２自立用配線に出力する形態で出力電力を調節する第２自立運転モードで動作し、
前記パワーコンディショナは、
前記電力系統から前記電力線への電力供給が正常に行われていない場合、電力を前記第１連系用配線には出力せず且つ前記第１自立用配線に出力する形態で出力電力を調節する第１自立運転モードで動作し、
前記電力系統から前記電力線への電力供給が正常に行われており且つ前記第２発電装置から前記第２自立用配線への電力供給が行われていない場合、電力を前記第１連系用配線に出力し且つ前記第１自立用配線には出力しない形態で出力電力を調節する第１連系運転モードで動作し、
前記電力系統から前記電力線への電力供給が正常に行われており且つ前記第２発電装置から前記第２自立用配線への電力供給が行われている場合、前記電力系統への電力の逆潮流を禁止するという条件下で、電力を前記第１連系用配線に出力し且つ前記第１自立用配線には出力しない形態で出力電力を調節する第１特別運転モードで動作する点にある。
【００１８】
上記特徴構成によれば、第２発電装置は、第２連系用配線を介した電力系統との連系が断絶していない場合、即ち、電力系統から電力線への電力供給が正常に行われている場合、電力を第２連系用配線に出力する形態で出力電力を調節する第２連系運転モードで動作する。その結果、例えば電力線の第２接続箇所と第１接続箇所との間に設けた電力計で測定した逆潮流電力は、第２発電装置から電力系統へと逆潮流する電力と見なすことができる。また、パワーコンディショナは、電力系統から電力線への電力供給が正常に行われており且つ第２発電装置から第２自立用配線への電力供給が行われていない場合、電力を第１連系用配線に出力し且つ第１自立用配線には出力しない形態で出力電力を調節する第１連系運転モードで動作する。つまり、パワーコンディショナが電力線に供給する電力には第２発電装置の発電電力は含まれない。その結果、電力線の第１接続箇所よりも電力系統側に設けた電力計で測定した電力は、パワーコンディショナを経由して電力系統へと逆潮流する電力と、第２発電装置から電力系統へと逆潮流する電力との和であると見なすことができる。そのため、例えば、電力線の第１接続箇所よりも電力系統側に設けた電力計と、電力線の第２接続箇所と第１接続箇所との間に設けた電力計とを併用することで、例えば第１発電装置からパワーコンディショナを経由して電力系統へと逆潮流する電力を特定できる。
【００１９】
尚、電力系統から電力線への電力供給が正常に行われていたとしても、第２発電装置から第２自立用配線への電力供給が行われている場合には、パワーコンディショナには、第１発電装置の発電電力及び第２発電装置の発電電力の両方が供給されるため、パワーコンディショナから電力線に供給される電力が電力系統に逆潮流すると、その逆潮流電力には第１発電装置の発電電力及び第２発電装置の発電電力の両方が含まれる可能性がある。この場合、電力線の第２接続箇所と第１接続箇所との間に設けた電力計で測定される逆潮流電力はゼロであるため、第２発電装置からの逆潮流電力はゼロと認識されるが、実際には、電力線の第１接続箇所よりも電力系統側に設けた電力計で測定される逆潮流電力に燃料電池装置の発電電力も含まれる可能性がある。
ところが本特徴構成では、パワーコンディショナは、電力系統から電力線への電力供給が正常に行われており且つ第２発電装置から第２自立用配線への電力供給が行われている場合、電力系統への電力の逆潮流を禁止するという条件下で、電力を第１連系用配線に出力し且つ第１自立用配線には出力しない形態で出力電力を調節する第１特別運転モードで動作する。つまり、パワーコンディショナから電力系統への電力の逆潮流は行われない、即ち、第１発電装置及び第２発電装置の両方から電力系統への逆潮流が行われないので、電力系統に逆潮流する電力の内訳が誤認されることが防止される。
従って、電力系統に逆潮流する電力がどの発電装置から供給された電力であるのかを正確に識別できる分散型電源システムを提供できる。
【００２０】
本発明に係る分散型電源システムの更に別の特徴構成は、電力系統に連系される電力線と、第１発電装置と、第２発電装置とを備える分散型電源システムであって、
前記電力線の上流側に前記電力系統への接続箇所が設けられ、前記電力系統への接続箇所から下流側に向かって、前記電力線上に第１接続箇所及び第２接続箇所がその並び順で設けられ、
前記第１発電装置が接続されるパワーコンディショナを備え、
前記パワーコンディショナは、前記電力線と電気的に接続された状態にある第１連系用配線に電力を供給でき、前記電力線とは電気的に接続されない状態にある第１自立用配線に電力を供給でき、
第１電力消費装置は、前記電力線から電力の供給を受けることができ、
第２電力消費装置は、前記電力線から電力の供給を受けることができる第１接続形態、及び、前記パワーコンディショナから前記第１自立用配線を介して電力の供給を受けることができる第２接続形態の何れかの接続形態で電力の供給を受けることができ、
前記第２発電装置は、第２連系用配線を介して前記電力線の前記第２接続箇所に電力を供給でき、第２自立用配線を介して前記パワーコンディショナに電力を供給でき、
前記第２自立用配線の途中には、前記第２発電装置と前記パワーコンディショナとの間の接続を遮断可能な遮断器が設けられ、
前記第２発電装置は、
前記第２連系用配線を介した前記電力系統との連系が断絶していない場合、電力を前記第２連系用配線に出力する形態で出力電力を調節する第２連系運転モードで動作し、
前記第２連系用配線を介した前記電力系統との連系が断絶している場合、電力を前記第２自立用配線に出力する形態で出力電力を調節する第２自立運転モードで動作し、
前記パワーコンディショナは、
前記電力系統から前記電力線への電力供給が正常に行われていない場合、前記遮断器を遮断作動させない状態で、電力を前記第１連系用配線には出力せず且つ前記第１自立用配線に出力する形態で出力電力を調節する第１自立運転モードで動作し、
前記電力系統から前記電力線への電力供給が正常に行われており且つ前記第２発電装置から前記第２自立用配線への電力供給が行われていない場合、電力を前記第１連系用配線に出力し且つ前記第１自立用配線には出力しない形態で出力電力を調節する第１連系運転モードで動作し、
前記電力系統から前記電力線への電力供給が正常に行われており且つ前記第２発電装置から前記第２自立用配線への電力供給が行われている場合、前記遮断器を遮断作動させた状態で、電力を前記第１連系用配線に出力し且つ前記第１自立用配線には出力しない形態で出力電力を調節する第１特別運転モードで動作する点にある。
【００２１】
上記特徴構成によれば、第２発電装置は、第２連系用配線を介した電力系統との連系が断絶していない場合、即ち、電力系統から電力線への電力供給が正常に行われている場合、電力を第２連系用配線に出力する形態で出力電力を調節する第２連系運転モードで動作する。その結果、例えば電力線の第２接続箇所と第１接続箇所との間に設けた電力計で測定した逆潮流電力は、第２発電装置から電力系統へと逆潮流する電力と見なすことができる。また、パワーコンディショナは、電力系統から電力線への電力供給が正常に行われており且つ第２発電装置から第２自立用配線への電力供給が行われていない場合、第２自立用配線の途中に設けられ、第２発電装置とパワーコンディショナとの間の接続を遮断可能な遮断器を遮断作動させない状態で、電力を第１連系用配線に出力し且つ第１自立用配線には出力しない形態で出力電力を調節する第１連系運転モードで動作する。つまり、パワーコンディショナが電力線に供給する電力には第２発電装置の発電電力は含まれない。その結果、電力線の第１接続箇所よりも電力系統側に設けた電力計で測定した電力は、パワーコンディショナを経由して電力系統へと逆潮流する電力と、第２発電装置から電力系統へと逆潮流する電力との和であると見なすことができる。そのため、例えば、電力線の第１接続箇所よりも電力系統側に設けた電力計と、電力線の第２接続箇所と第１接続箇所との間に設けた電力計とを併用することで、例えば第１発電装置からパワーコンディショナを経由して電力系統へと逆潮流する電力を特定できる。
【００２２】
尚、電力系統から電力線への電力供給が正常に行われていたとしても、第２発電装置から第２自立用配線への電力供給が行われている場合には、パワーコンディショナには、第１発電装置の発電電力及び第２発電装置の発電電力の両方が供給されるため、パワーコンディショナから電力線に供給される電力が電力系統に逆潮流すると、その逆潮流電力には第１発電装置の発電電力及び第２発電装置の発電電力の両方が含まれる可能性がある。この場合、電力線の第２接続箇所と第１接続箇所との間に設けた電力計で測定される逆潮流電力はゼロであるため、第２発電装置からの逆潮流電力はゼロと認識されるが、実際には、電力線の第１接続箇所よりも電力系統側に設けた電力計で測定される逆潮流電力に燃料電池装置の発電電力も含まれる可能性がある。
ところが本特徴構成では、パワーコンディショナは、電力系統から電力線への電力供給が正常に行われており且つ第２発電装置から第２自立用配線への電力供給が行われている場合、遮断器を遮断作動させた状態で、電力を第１連系用配線に出力し且つ第１自立用配線には出力しない形態で出力電力を調節する第１特別運転モードで動作する。つまり、遮断器が遮断作動されることで、パワーコンディショナには第２発電装置の発電電力は供給されない。その結果、パワーコンディショナから電力系統へ電力の逆潮流は行われるとしても、その逆潮流電力に第２発電装置の発電電力が含まれないため、電力系統に逆潮流する電力の内訳が誤認されることが防止される。
従って、電力系統に逆潮流する電力がどの発電装置から供給された電力であるのかを正確に識別できる分散型電源システムを提供できる。
【００２３】
本発明に係る分散型電源システムの更に別の特徴構成は、前記パワーコンディショナに接続される充放電装置を備える点にある。
【００２４】
上記特徴構成によれば、充放電装置を用いて第１発電装置の発電電力を充電することや、充放電装置から電力線に電力を放電することなどを行うことができる。
【００２５】
本発明に係る分散型電源システムの更に別の特徴構成は、前記第１発電装置は太陽光発電装置であり、前記第２発電装置は燃料電池装置である点にある。
【００２６】
上記特徴構成によれば、太陽光発電装置及び燃料電池装置のそれぞれから電力系統へと逆潮流する電力を知ることができる。
【図面の簡単な説明】
【００２７】
【図１】第１実施形態の分散型電源システムの構成を示す図である。
【図２】第１実施形態の分散型電源システムの構成を示す図である。
【図３】第１実施形態の分散型電源システムの構成を示す図である。
【図４】第２実施形態の分散型電源システムの構成を示す図である。
【図５】第３実施形態の分散型電源システムの構成を示す図である。
【図６】比較例の分散型電源システムの構成を示す図である。
【発明を実施するための形態】
【００２８】
＜第１実施形態＞
以下に図面を参照して本発明の第１実施形態に係る分散型電源システムについて説明する。
図１は、第１実施形態の分散型電源システムの構成を示す図である。図示するように、分散型電源システムは、電力系統１に連系される電力線２と、第１発電装置としての太陽光発電装置３と、第２発電装置としての燃料電池装置４と、充放電装置５とを備える。電力線２の上流側に電力系統１への接続箇所が設けられ、電力系統１への接続箇所から下流側に向かって、電力線２上に第１接続箇所１０及び第２接続箇所１１がその並び順で設けられる。加えて、分散型電源システムは、太陽光発電装置３及び充放電装置５が接続されるパワーコンディショナ７を備える。第１接続箇所１０にはパワーコンディショナ７が接続され、第２接続箇所１１には燃料電池装置４が接続される。
尚、本実施形態の分散型電源システムでは、特に言及しない限り、電力系統１への電力の逆潮流は許容される。
【００２９】
パワーコンディショナ７は、半導体スイッチング素子等を用いて構成されるＤＣ／ＤＣ変換回路やＤＣ／ＡＣ変換回路などの電気回路を有するパワーコンディショナ回路部７ａと、そのパワーコンディショナ回路部７ａの動作を制御するパワーコンディショナ制御部７ｂとを備える。太陽光発電装置３は、太陽光を受光して発電する装置であり、パワーコンディショナ回路部７ａに接続される。充放電装置５は、蓄電部で蓄えている電力の放電及び蓄電部への電力の充電を行うことができる装置であり、パワーコンディショナ回路部７ａに接続される。
【００３０】
パワーコンディショナ７は、電力線２と電気的に接続された状態にある第１連系用配線１４に電力を供給でき、電力線２とは電気的に接続されない状態にある第１自立用配線１５に電力を供給できる。第１電力消費装置６は、電力線２の第２接続箇所１１から電力の供給を受けることができる。第２電力消費装置９は、接続線２５を介して切替器２４に接続される。切替器２４は、第１自立用配線１５を介してパワーコンディショナ７に接続され、接続線２３を介して電力線２の第２接続箇所１１に接続される。この切替器２４は、パワーコンディショナ７から第１自立用配線１５に電力が供給されている場合には接点ａと接点ｃとが接続される状態に切り替わり、パワーコンディショナ７から第１自立用配線１５に電力が供給されていない場合には（即ち、パワーコンディショナ７から第１連系用配線１４に電力が供給されている場合には）接点ｂと接点ｃとが接続される状態に切り替わる。切替器２４の各接点の接続状態は、パワーコンディショナ７からの指令によって切り替わる構成を採用することもできるし、自動で切り替わる構成を採用することもできる。後者の場合、例えば、第１自立用配線１５に通電されると、切替器２４に設けられたリレー（図示せず）が自動的に接点ａと接点ｃとが接続される状態に切り替わり、第１自立用配線１５に通電されなくなると、切替器２４に設けられたリレーが自動的に接点ｂと接点ｃとが接続される状態に切り替わるような構成になる。尚、第１自立用配線１５は電力線２には接続されないため、パワーコンディショナ７から第１自立用配線１５に供給された電力が電力線２へと供給されることはない。
【００３１】
このように、第１電力消費装置６は、電力線２から電力の供給を受けることしかできない。そのため、例えば電力系統１で停電などが発生して電力線２への電力供給が停止されると、第１電力消費装置６は動作できなくなる。それに対して、第２電力消費装置９は、電力の供給元を電力線２とパワーコンディショナ７との間で切り替える切替器２４を経由して電力の供給を受けることができる。具体的には、第２電力消費装置９は、電力線２から電力の供給を受けることができる第１接続形態（切替器２４で接点ｂと接点ｃとが接続される形態）、及び、パワーコンディショナ７から第１自立用配線１５を介して電力の供給を受けることができる第２接続形態（切替器２４で接点ａと接点ｃとが接続される形態）の何れかの接続形態で電力の供給を受けることができる。そのため、第２電力消費装置９は、電力系統１から電力線２への電力供給が正常に行われているか否かに関わらず、常に電力の供給を受けることができる。従って、電力系統１で停電などが発生した場合に電力供給が停止しても構わない電気機器を第１電力消費装置６の位置に設け、電力系統１で停電などが発生するか否かに関わらず、常に電力供給を行いたい電気機器を第２電力消費装置９の位置に設けておくとよい。
【００３２】
パワーコンディショナ７は、太陽光発電装置３の発電電力を第１連系用配線１４を介して電力線２の第１接続箇所１０に出力させる動作又は第１自立用配線１５を介して第２電力消費装置９に出力させる動作や、充放電装置５を充放電させる動作などを制御する。具体的には、パワーコンディショナ７は、例えば最大電力追従制御などにより太陽光発電装置３の発電電力を制御して、その発電電力を電力線２の第１接続箇所１０又は第２電力消費装置９に供給できる。他にも、パワーコンディショナ７は、太陽光発電装置３の発電電力の一部又は全部を充放電装置５に充電させてもよい。また、パワーコンディショナ７は、電力線２の第１接続箇所１０から受電した電力を充放電装置５に充電させることもできる。
【００３３】
パワーコンディショナ７には、電力線２の第１接続箇所１０よりも上流側に設けられた計器用変流器１２及び計器用変圧器１３の測定結果が伝達される。例えば、パワーコンディショナ７は、計器用変流器１２から伝達される電流値と、計器用変圧器１３から伝達される電圧値との積から、電力線２の第１接続箇所１０から上流側の電力系統１に向かう逆潮流電力Ｐ１を導出できる。また、パワーコンディショナ７は、計器用変圧器１３から伝達される電圧値に基づいて、電力系統１からの電力供給が正常に行われているか否かを判定できる。例えば、パワーコンディショナ７は、計器用変圧器１３から伝達される電圧値が所定値以上であれば、電力系統１からの電力供給が正常に行われていると判定し、計器用変圧器１３から伝達される電圧値が所定値未満であれば、電力系統１からの電力供給が正常に行われていないと判定できる。そして、図示しない遮断器などにより電力線２が電力系統１から切り離される。
【００３４】
燃料電池装置４は、例えば固体酸化物形燃料電池（ＳＯＦＣ）や固体高分子形燃料電池（ＰＥＦＣ）など燃料電池４ｄと、燃料電池４ｄで発生した電力を、所望の電圧、周波数、位相の電力に変換して電力線２の第２接続箇所１１に出力するための電力変換部４ｃとを有する燃料電池部４ｂを備える。また、燃料電池装置４は、燃料電池部４ｂの動作を制御する燃料電池制御部４ａ等を有する。尚、燃料電池装置４が、燃料電池４ｄに供給する燃料ガスとしての水素等を改質処理により生成する燃料改質器などを備えていてもよい。
【００３５】
燃料電池装置４は、第２連系用配線１６の途中に設けられた分岐ブレーカや漏電遮断器などの遮断器１８を介して電力線２に接続されている。
【００３６】
燃料電池装置４は、例えば定格出力で運転する。その場合、燃料電池装置４から電力線２の第２接続箇所１１に供給される電力が、第１電力消費装置６の消費電力及び第２電力消費装置９の消費電力の和よりも大きければ、その余剰電力が第２接続箇所１１から第１接続箇所１０に向かって供給される。それに対して、燃料電池装置４から電力線２の第２接続箇所１１に供給される電力が、第１電力消費装置６の消費電力及び第２電力消費装置９の消費電力の和よりも小さければ、その不足電力が第１接続箇所１０から第２接続箇所１１に向かって供給される。
【００３７】
燃料電池装置４は、第２連系用配線１６を介した電力系統１との連系が断絶しているか否かを判定する。そして、燃料電池装置４は、第２連系用配線１６を介した電力系統１との連系が断絶していない場合、電力を第２連系用配線１６に出力する形態で出力電力を調節する第２連系運転モードで動作し、第２連系用配線１６を介した電力系統１との連系が断絶している場合、電力を第２自立用配線１７に出力する形態で出力電力を調節する第２自立運転モードで動作する。
【００３８】
尚、第２連系用配線１６を介した電力系統１との連系が断絶している場合として、後述する遮断器１８が遮断作動することで、第２連系用配線１６を介した燃料電池装置４と電力系統１との連系が第２連系用配線１６の部分で断絶している場合が含まれる。加えて、第２連系用配線１６を介した電力系統１との連系が断絶している場合として、遮断器１８が遮断作動していないために燃料電池装置４は第２連系用配線１６を介して電力線２に対して電気的に接続されているが、電力系統１で停電などが発生することで電力線２が電力系統１から切り離され、電力系統１から電力線２への電力供給が正常に行われていない場合が含まれる。
【００３９】
具体的に説明すると、燃料電池装置４は、第２連系用配線１６の電圧などを測定することで、第２連系用配線１６を介した電力系統１との連系が断絶しているか否かを判定できる。例えば、電力系統１で停電が発生することで第２連系用配線１６の電圧が低下すると、燃料電池装置４は、第２連系用配線１６を介した電力系統１との連系が断絶していると判定する。その他にも、燃料電池装置４は、第２連系用配線１６の途中に設けられた分岐ブレーカや漏電遮断器などの遮断器１８を介して電力線２に接続されているため、分岐ブレーカが誤って操作されることや、漏電遮断器が動作することなどにより、電力系統１から電力線２への電力供給が正常に行われていても、遮断器１８が解列すること可能性がある。その場合、燃料電池装置４は、燃料電池装置４は、第２連系用配線１６を介した電力系統１との連系が断絶していると判定する。
【００４０】
以上のようにして、燃料電池装置４は、第２連系用配線１６を介した電力系統１との連系が断絶していない場合には第２連系運転モードで動作し、第２連系用配線１６を介した電力系統１との連系が断絶しているには第２自立運転モードで動作する。そして、燃料電池装置４は、第２連系用配線１６を介して電力線２の第２接続箇所１１に電力を供給でき、第２自立用配線１７を介してパワーコンディショナ７に電力を供給できる。
【００４１】
図１では、電力線２の第１接続箇所１０から上流側の電力系統１に向かう逆潮流電力をＰ１で示し、パワーコンディショナ７が第１連系用配線１４を介して電力線２の第１接続箇所１０に供給する電力をＰ７で示し、太陽光発電装置３の発電電力をＰ３で示し、充放電装置５の充電電力をＰ５で示し、燃料電池装置４が第２連系用配線１６を介して電力線２の第２接続箇所１１に供給する電力（燃料電池装置４の発電電力）をＰ４で示し、第１電力消費装置６の消費電力をＰ６で示し、第２電力消費装置９の消費電力をＰ９で示し、電力線２の第２接続箇所１１から第１接続箇所１０に向かう電力（燃料電装置の発電電力のうちの余剰電力）をＰ２で示す。
【００４２】
図１は、パワーコンディショナ７が第１連系時運転モードで動作し、燃料電池装置４が第２連系時運転モードで動作している状態を示す。この場合、パワーコンディショナ７は、第１連系用配線１４を介して電力線２の第１接続箇所１０に電力を供給し、燃料電池装置４は、第２連系用配線１６を介して電力線２の第２接続箇所１１に電力を供給する。パワーコンディショナ７から第１自立用配線１５には電力は供給されておらず、切替器２４は、接点ｂと接点ｃとが接続される状態に切り替わる。電力線２の第２接続箇所１１と第１接続箇所１０との間に設けた電力計２２で測定した電力は、燃料電池装置４から電力系統１へと逆潮流する電力と見なすことができる。また、電力線２の第１接続箇所１０よりも電力系統１側に設けた電力計８で測定した電力Ｐ１は、太陽光発電装置３からパワーコンディショナ７を経由して電力系統１へと逆潮流する電力Ｐ７と、燃料電池装置４から電力系統１へと逆潮流する電力Ｐ２との和を示すことになる。つまり、太陽光発電装置３から電力系統１へと逆潮流する電力と、燃料電池装置４から電力系統１へと逆潮流する電力とを識別できる。
【００４３】
図２は、パワーコンディショナ７が第１自立時運転モードで動作し、燃料電池装置４が第２自立時運転モードで動作している状態を示す。この場合、パワーコンディショナ７から第１自立用配線１５に電力が供給されており、切替器２４は、接点ａと接点ｃとが接続される状態に切り替わる。パワーコンディショナ７は、第１自立用配線１５を介して、電力線２には接続されていない第２電力消費装置９に電力を供給し、燃料電池装置４は、第２自立用配線１７を介してパワーコンディショナ７に電力を供給する。つまり、第２電力消費装置９には、パワーコンディショナ７を介して、太陽光発電装置３の発電電力及び燃料電池装置４の発電電力を供給できる。
【００４４】
図２では、パワーコンディショナ７が第１自立用配線１５を介して第２電力消費装置９に供給する電力をＰ７で示し、太陽光発電装置３の発電電力をＰ３で示し、充放電装置５の充電電力をＰ５で示し、燃料電池装置４が第２自立用配線１７を介してパワーコンディショナ７に供給する電力（燃料電池装置４の発電電力）をＰ４で示す。
【００４５】
尚、燃料電池装置４が、第２連系用配線１６の途中に設けられた分岐ブレーカや漏電遮断器などの遮断器１８を介して電力線２に接続されている場合、分岐ブレーカが誤って操作されることや、漏電遮断器が動作することなどにより、電力系統１から電力線２への電力供給が正常に行われていても、遮断器１８が解列する可能性がある。その場合、燃料電池装置４は、第２連系用配線１６を介した電力系統１との連系が断絶していると判断して、第２自立用配線１７を介してパワーコンディショナ７に電力を供給する。それに対して、パワーコンディショナ７は、そのような遮断器１８の動作に影響されず、電力系統１から電力線２への電力供給が正常に行われていると判断して、第１連系用配線１４を介して電力線２の第１接続箇所１０に電力を供給し続ける。その結果、電力系統１から電力線２への電力供給が正常に行われていたとしても、燃料電池装置４から第２自立用配線１７への電力供給が行われている場合には、パワーコンディショナ７には、太陽光発電装置３の発電電力及び燃料電池装置４の発電電力の両方が供給されるため、パワーコンディショナ７から電力線２に供給される電力が電力系統１に逆潮流すると、その逆潮流電力には太陽光発電装置３の発電電力及び燃料電池装置４の発電電力の両方が含まれ得る。
【００４６】
この場合、電力線２の第２接続箇所１１と第１接続箇所１０との間に設けた電力計２２で測定される逆潮流電力はゼロであるため、燃料電池装置４からの逆潮流電力はゼロと認識されるが、実際には、電力線２の第１接続箇所１０よりも電力系統１側に設けた電力計８で測定される逆潮流電力に燃料電池装置４の発電電力も含まれる可能性がある。
【００４７】
ところが本実施形態では、図３に示すように、パワーコンディショナ７は、電力系統１から電力線２への電力供給が正常に行われており且つ燃料電池装置４から第２自立用配線１７への電力供給が行われている場合、電力を第１連系用配線１４には出力せず且つ第１自立用配線１５に出力する形態で出力電力を調節する第１特別運転モードで動作する。尚、パワーコンディショナ７は、燃料電池装置４から第２自立用配線１７への電力供給が行われていることを、第２自立用配線１７の途中に設けられる計器用変圧器１９などの電圧センサを用いて知ることができる。
【００４８】
つまり、第１自立用配線１５は電力線２には接続されないので、第１特別運転モードでは、パワーコンディショナ７から電力系統１への電力の逆潮流は行われない、即ち、太陽光発電装置３及び燃料電池装置４の両方から電力系統１への逆潮流が行われないので、電力系統１に逆潮流する電力の内訳が誤認されることが防止される。従って、分散型電源システムは、電力系統１に逆潮流する電力がどの発電装置から供給された電力であるのかを正確に識別できる。加えて、パワーコンディショナ７が第１特別運転モードで動作している場合、その旨の情報をリモコン装置などの情報表示装置から出力して利用者に認識させてもよい。
【００４９】
＜第２実施形態＞
第２実施形態の分散型電源システムは、パワーコンディショナ７が第１特別運転モードで行う制御の内容が上記実施形態と異なっている。以下に第２実施形態の分散型電源システムについて説明するが、上記実施形態と同様の構成については説明を省略する。
【００５０】
本実施形態でも、図２に示したのと同様に、パワーコンディショナ７は、電力系統１から電力線２への電力供給が正常に行われていない場合、電力を第１連系用配線１４には出力せず且つ第１自立用配線１５に出力する形態で出力電力を調節する第１自立運転モードで動作する。
【００５１】
また、図１に示したのと同様に、パワーコンディショナ７は、電力系統１から電力線２への電力供給が正常に行われており且つ燃料電池装置４から第２自立用配線１７への電力供給が行われていない場合、電力を第１連系用配線１４に出力し且つ第１自立用配線１５には出力しない形態で出力電力を調節する第１連系運転モードで動作する。この場合、パワーコンディショナ７から電力系統１への電力の逆潮流は許容される。
【００５２】
図４は第２実施形態の分散型電源システムの構成を示す図である。本実施形態では、パワーコンディショナ７は、電力系統１から電力線２への電力供給が正常に行われており且つ燃料電池装置４から第２自立用配線１７への電力供給が行われている場合、電力系統１への電力の逆潮流を禁止するという条件下で、電力を第１連系用配線１４に出力し且つ第１自立用配線１５には出力しない形態で出力電力を調節する第１特別運転モードで動作する。
【００５３】
具体的には、パワーコンディショナ７は、計器用変流器１２及び計器用変圧器１３の測定結果を参照して、電力線２の第１接続箇所１０から電力系統１へと向かう電力、即ち、電力系統１への逆潮流電力を知ることができる。そして、パワーコンディショナ７は、燃料電池装置４から第２自立用配線１７への電力供給が行われていることを、第２自立用配線１７の途中に設けられる計器用変圧器１９などの電圧センサを用いて知ることができる。
【００５４】
このように、パワーコンディショナ７は、電力系統１から電力線２への電力供給が正常に行われており且つ燃料電池装置４から第２自立用配線１７への電力供給が行われている場合、電力系統１への電力の逆潮流を禁止するという条件下で、電力を第１連系用配線１４に出力し且つ第１自立用配線１５には出力しない形態で出力電力を調節する第１特別運転モードで動作する。つまり、パワーコンディショナ７から電力系統１への電力の逆潮流は行われない、即ち、太陽光発電装置３及び燃料電池装置４の両方から電力系統１への逆潮流が行われないので、電力系統１に逆潮流する電力の内訳が誤認されることが防止される。加えて、パワーコンディショナ７が第１特別運転モードで動作している場合、その旨の情報をリモコン装置などの情報表示装置から出力して利用者に認識させてもよい。
【００５５】
＜第３実施形態＞
第３実施形態の分散型電源システムは、パワーコンディショナ７が第１特別運転モードで行う制御の内容が上記実施形態と異なっている。以下に第３実施形態の分散型電源システムについて説明するが、上記実施形態と同様の構成については説明を省略する。
【００５６】
本実施形態でも、図２に示したのと同様に、パワーコンディショナ７は、電力系統１から電力線２への電力供給が正常に行われていない場合、電力を第１連系用配線１４には出力せず且つ第１自立用配線１５に出力する形態で出力電力を調節する第１自立運転モードで動作する。
【００５７】
また、図１に示したのと同様に、パワーコンディショナ７は、電力系統１から電力線２への電力供給が正常に行われており且つ燃料電池装置４から第２自立用配線１７への電力供給が行われていない場合、電力を第１連系用配線１４に出力し且つ第１自立用配線１５には出力しない形態で出力電力を調節する第１連系運転モードで動作する。この場合、パワーコンディショナ７から電力系統１への電力の逆潮流は許容される。
【００５８】
図５は第３実施形態の分散型電源システムの構成を示す図である。第２自立用配線１７の途中には、燃料電池装置４とパワーコンディショナ７との間の接続を遮断可能な遮断器２０が設けられている。そして、本実施形態では、パワーコンディショナ７は、電力系統１から電力線２への電力供給が正常に行われており且つ燃料電池装置４から第２自立用配線１７への電力供給が行われている場合、第２自立用配線１７の途中に設けられた遮断器２０を遮断作動させた状態で、電力を第１連系用配線１４に出力し且つ第１自立用配線１５には出力しない形態で出力電力を調節する第１特別運転モードで動作する。尚、パワーコンディショナ７は、燃料電池装置４から第２自立用配線１７への電力供給が行われていることを、第２自立用配線１７の途中に設けられる計器用変圧器１９などの電圧センサを用いて知ることができる。
【００５９】
この場合、燃料電池装置４はパワーコンディショナ７に電力を供給できないが、自身の補機等で電力を消費するアイドリング運転などを行えばよい。
【００６０】
このように、パワーコンディショナ７は、電力系統１から電力線２への電力供給が正常に行われており且つ燃料電池装置４から第２自立用配線１７への電力供給が行われている場合、遮断器２０を遮断作動させた状態で、電力を第１連系用配線１４に出力し且つ第１自立用配線１５には出力しない形態で出力電力を調節する第１特別運転モードで動作する。この場合、パワーコンディショナ７から電力系統１への電力の逆潮流は許容される。つまり、遮断器２０が遮断作動されることで、パワーコンディショナ７には燃料電池装置４の発電電力は供給されない。その結果、パワーコンディショナ７から電力系統１へ電力の逆潮流は行われるとしても、その逆潮流電力に燃料電池装置４の発電電力が含まれないため、電力系統１に逆潮流する電力の内訳が誤認されることが防止される。加えて、パワーコンディショナ７が第１特別運転モードで動作している場合、その旨の情報をリモコン装置などの情報表示装置から出力して利用者に認識させてもよい。
【００６１】
＜別実施形態＞
＜１＞
上記実施形態では、本発明の分散型電源システムの構成について具体例を挙げて説明したが、その構成は適宜変更可能である。
例えば、上記実施形態では、電力系統１からの電力線２への電力供給が正常に行われている場合と正常に行われていない場合との両方で第２電力消費装置９に常時電力供給を行うという目的のために、パワーコンディショナ７とは別に設けた切替器２４を利用したが、他の装置構成によりその目的を達成することもできる。例えば、パワーコンディショナ７が上記切替器２４と同様の機能を内蔵していてもよい。
【００６２】
＜２＞
上記実施形態では、本発明の第１発電装置の例として太陽光発電装置３を挙げ、第２発電装置の例として燃料電池装置４を挙げたが、それらには様々な発電装置を用いることができる。例えば、エンジンとそのエンジンによって駆動される発電機とを備えて構成されるタイプの発電装置などを用いることできる。
【００６３】
＜３＞
上記実施形態（別実施形態を含む、以下同じ）で開示される構成は、矛盾が生じない限り、他の実施形態で開示される構成と組み合わせて適用でき、また、本明細書において開示された実施形態は例示であって、本発明の実施形態はこれに限定されず、本発明の目的を逸脱しない範囲内で適宜改変できる。
【産業上の利用可能性】
【００６４】
本発明は、電力系統に逆潮流する電力がどの発電装置から供給された電力であるのかを正確に識別できる分散型電源システムに利用できる。
【符号の説明】
【００６５】
１  電力系統
２  電力線
３  太陽光発電装置（第１発電装置）
４  燃料電池装置（第２発電装置）
５  充放電装置
６  第１電力消費装置
７  パワーコンディショナ
９  第２電力消費装置
１０  第１接続箇所
１１  第２接続箇所
１４  第１連系用配線
１５  第１自立用配線
１６  第２連系用配線
１７  第２自立用配線
【図１】
2020137210.tif 000003
【図２】
2020137210.tif 000004
【図３】
2020137210.tif 000005
【図４】
2020137210.tif 000006
【図５】
2020137210.tif 000007
【図６】
2020137210.tif 000008